(57)【要約】【課題】測定方法の正確性を担保しつつ、錠剤の寸法を素早く共有する錠剤寸法測定プログラムの提供。【解決手段】錠剤の寸法を測定するための測定手段と、前記測定手段によって測定された前記錠剤の寸法を表示する寸法表示手段と、前記寸法表示手段によって表示された前記寸法の数値と前記錠剤の測定位置とを含んだ画像を撮影するための撮影手段と、を用いて前記錠剤の撮影を行う錠剤寸法測定プログラムであって、前記撮影手段により、少なくとも１つの前記錠剤の前記測定位置と前記寸法の数値とを含んだ寸法情報画像と、前記錠剤の薬品情報を区別可能な薬品情報画像と、を撮影することを特徴とする錠剤寸法測定プログラム。【選択図】図１
2020198956.tif 000002
【特許請求の範囲】
【請求項１】
錠剤の寸法を測定するための測定手段と、
前記測定手段によって測定された前記錠剤の寸法を表示する寸法表示手段と、
前記寸法表示手段によって表示された前記寸法の数値と前記錠剤の測定位置とを含んだ画像を撮影するための撮影手段と、
を用いて前記錠剤の撮影を行う錠剤寸法測定プログラムであって、
前記撮影手段により、少なくとも１つの前記錠剤の前記測定位置と前記寸法の数値とを含んだ寸法情報画像と、前記錠剤の薬品情報を区別可能な薬品情報画像と、を撮影することを特徴とする錠剤寸法測定プログラム。
【請求項２】
請求項１に記載の錠剤寸法測定プログラムであって、
前記撮影手段によって撮影された前記画像のうち１つが表示されたときには、前記撮影手段が撮影した他の画像を縮小化して前記画像に並べて表示する画像出力部を有することを特徴とする錠剤寸法測定プログラム。
【請求項３】
請求項１または２に記載の錠剤寸法測定プログラムを用いて錠剤の寸法を測定する錠剤寸法測定システムであって、
錠剤の寸法を測定するための測定手段と、
前記測定手段によって測定された前記錠剤の寸法を表示する寸法表示手段と、
前記寸法表示手段によって表示された前記寸法の数値と前記錠剤の測定位置とを含んだ画像を撮影するための撮影手段と、
ネットワークを介して接続された記憶手段と、を有し、
前記記憶手段に、前記寸法情報画像と前記薬品情報画像とを記憶させることを特徴とする錠剤寸法測定システム。
【請求項４】
請求項３に記載の錠剤寸法測定システムであって、
前記記憶手段に記憶された前記寸法情報画像および／または前記薬品情報画像を読み出して表示するための画像表示手段を有することを特徴とする錠剤寸法測定システム。
【請求項５】
錠剤の寸法を測定するための測定ステップと、
前記錠剤の薬品情報を区別可能な薬品情報画像と、前記測定ステップにおいて測定された前記錠剤の寸法の数値と前記錠剤の測定位置とを含んだ寸法情報画像と、を撮影する撮影ステップと、
を有する錠剤寸法測定プログラム。
【発明の詳細な説明】
【技術分野】
【０００１】
この発明は、錠剤の寸法を測定するとともに、当該錠剤の寸法を遠隔地間で共有するための錠剤寸法測定プログラム及び錠剤寸法測定システムに関する。
【背景技術】
【０００２】
錠剤を個別に払い出す錠剤分包装置において、錠剤を一錠ずつ払い出すために回転羽根を備えたカセットを用いる構成が知られている（例えば特許文献１等参照）。
このようなカセットは、回転羽根の区分けをそれぞれの錠剤の寸法に合わせて設計することが望ましいが、錠剤の寸法は千差万別であり、回転羽根の製造の迅速化のためにはかかる錠剤の寸法を素早く共有する仕組みが求められている。
しかしながら、錠剤は例えば楕円球形状や円柱の底面が膨らんだ形状のものなど形状が様々であり、縦、横、奥行きの定義や、測定される位置等が違ってしまえば、得られる錠剤寸法も変化してしまうため、こうした測定方法についても同時に知る必要がある。
また、カメラ等を用いた撮影により薬品の形状を測定する装置も知られている（例えば特許文献２等参照）が、単体で運用するには高コストになってしまうという問題がある。
【先行技術文献】
【特許文献】
【０００３】
【特許文献１】特開２０１５−１２８９３号公報
【特許文献２】特許第５８１２２２８号公報
【発明の概要】
【発明が解決しようとする課題】
【０００４】
従来の錠剤寸法測定においては、例えばマニュアル等を参照しながらノギス等の計測器を用いて測定したり、錠剤の製造元からのデータに基づいて数字を記録するなどの方法でしかなかった。
そこで、本発明においては、測定方法の正確性を担保しつつ、錠剤の寸法を素早く共有することが技術課題となる。
【課題を解決するための手段】
【０００５】
本発明の錠剤寸法測定プログラムは（解決手段１）、錠剤の寸法を測定するための測定手段と、前記測定手段によって測定された前記錠剤の寸法を表示する寸法表示手段と、前記寸法表示手段によって表示された前記寸法の数値と前記錠剤の測定位置とを含んだ画像を撮影するための撮影手段と、を用いて前記錠剤の撮影を行う錠剤寸法測定プログラムであって、前記撮影手段により、少なくとも１つの前記錠剤の前記測定位置と前記寸法の数値とを含んだ寸法情報画像と、前記錠剤の薬品情報を区別可能な薬品情報画像と、を撮影することを特徴とする。
【０００６】
また、本発明の錠剤寸法測定プログラムは（解決手段２）、解決手段１に記載された構成に加え、前記撮影手段が撮影した前記画像のうち１つが表示されたときには、前記撮影手段が撮影した他の画像を縮小化して前記画像に並べて表示する画像出力部を有することを特徴とする。
【０００７】
また、本発明の錠剤寸法測定システムは（解決手段３）、解決手段１または解決手段２に記載された構成のプログラムを用いて錠剤の寸法を測定する錠剤寸法測定システムであって、錠剤の寸法を測定するための測定手段と、前記測定手段によって測定された前記錠剤の寸法を表示する寸法表示手段と、前記寸法表示手段によって表示された前記寸法の数値と前記錠剤の測定位置とを含んだ画像を撮影するための撮影手段と、ネットワークを介して接続された記憶手段と、を有し、前記記憶手段に、前記寸法情報画像と前記薬品情報画像とが記憶されることを特徴とする。
【０００８】
また、本発明の錠剤寸法測定システムは（解決手段４）、解決手段３に記載された構成に加え、記憶手段に記憶された前記寸法情報画像および／または前記薬品情報画像を読み出して表示するための画像表示手段を有することを特徴とする。
【０００９】
また、本発明の錠剤寸法測定プログラムは（解決手段５）、錠剤の寸法を測定するための測定ステップと、前記錠剤の薬品情報を区別可能な薬品情報画像と、前記測定ステップにおいて測定された前記錠剤の寸法の数値と前記錠剤の測定位置とを含んだ寸法情報画像と、を撮影する撮影ステップと、を有することを特徴とする。
【発明の効果】
【００１０】
本発明によれば、測定方法の正確性を担保しつつ、錠剤の寸法を素早く共有することができる。
【図面の簡単な説明】
【００１１】
【図１】本発明の錠剤寸法測定システムのシステム構成の一例を示す図である。
【図２】撮影手段が撮影する画像データの一例を示す図である。
【図３】錠剤の寸法と外観の一例を示す図である。
【図４】寸法データを利用する一例として、回転羽根を有するカセットの構成例を示す図である。
【図５】本発明の錠剤寸法測定システムの動作例を示す図である。
【図６】本発明の実施形態における薬品情報画像の一例を示す図である。
【図７】本発明の実施形態において記憶される画像データの一例を示す図である。
【図８】撮像装置によって撮影される画像の表示の一例を示す図である。
【図９】本発明の実施形態において記憶される画像データの変形例を示す図である。
【発明を実施するための形態】
【００１２】
本発明の錠剤寸法測定システムの一例である具体的な形態を、図に沿って説明する。
図においては、簡明化等のため、発明の説明に必要なものや関連するものを中心に図示した。
【００１３】
錠剤寸法測定システム１００は、図１に示すように、錠剤１０の寸法を測定するための測定手段たるノギス２０と、ノギス２０の使用状態を撮影するための撮影手段たるカメラ３０と、カメラ３０によって撮影された画像データをネットワーク９を介してサーバー９０へと送信するための送信手段を備える端末４０と、有している。
錠剤寸法測定システム１００はまた、サーバー９０から複数の画像データを読み出すアプリ４１を備えた携帯端末４２を有している。
【００１４】
ノギス２０は、本実施形態ではデジタルノギスメーターであり、長さを測定する基準となる基部２１と、基部２１に支持された可動部２２と、を有し、基部２１側の端部２１ａと、可動部２２側の可動端部２２ａとの間に錠剤１０を挟み込むように設置することで、端部２１ａと可動端部２２ａとの間の距離ｄ１を錠剤１０の寸法として測定する測定手段である。
ノギス２０は、かかる端部２１ａと可動端部２２ａとの間の距離ｄ１を測定結果として表示する寸法表示手段たる表示部２３を有している。本実施形態では、表示部２３はデジタル表示によって距離ｄ１を表示する構成としたが、かかる構成に限定されるものではない。
【００１５】
カメラ３０は、図２に示すようにノギス２０の端部２１ａと可動端部２２ａと、錠剤１０と、表示部２３と、がカメラ３０の撮影エリア３１内に収まるように撮影する撮影手段である。なお、カメラ３０は、携帯電話など端末４０に備えられるものであっても良いし、端末４０とは別に用意されたデジタルカメラ等の撮像装置であっても良い。
このように、カメラ３０によって撮影された画像データは、端末４０によってネットワーク９を介してサーバー９０へと送信され、記憶される。
【００１６】
錠剤１０は、種々の形状を取り得る不特定の薬剤であるが、本実施形態では一例として図３（ａ）〜（ｃ）に示すようにレンズ形状の錠剤１０について特に説明する。なお、錠剤１０はかかる形状に限定されるものではなく、カプセル形状や円板形状、球形状や楕円球形状等その他の形状であっても良い。
【００１７】
さて、錠剤１０を分包するための分包機などに用いられる薬剤カセットの一種として、図４に示すような錠剤１０を一錠ずつ払い出すために回転羽根５１を備えたカセット５０が知られている。
このようなカセット５０は、詳細な構成は省略するが回転羽根５１をＡ方向に回転させることで筐体５２と回転羽根５１との間の空間５３に錠剤１０が１錠ずつ入り込むことで個別に落下する構成として知られる。
すなわち、錠剤１０が空間５３にちょうど良く嵌まり込むためには、カセット５０の回転羽根５１の形状は、錠剤１０の寸法に合わせて設計される必要がある。
錠剤１０の寸法自体の計測は、例えばノギス２０を用いる等で容易に測定が可能である。
しかしながら、既に述べたように、錠剤の形状は様々であって、例えば一概に縦ｈ１、横ｈ２、奥行きｈ３の３つの長さを用いて寸法を表そうとするとしても、どこを縦、どこを横、どこを奥行きとするかは錠剤１０の設置方向等によって容易に変化してしまう。
さらに、ノギス２０の使用方法についても正しい使用方法で用いられているかどうかは分からないという問題もある。
回転羽根５１の製造を行う場所と、錠剤１０の測定を行う場所とが互いに遠隔地である等の場合には、錠剤１０の寸法が異なっていたり、ノギス２０の使用方法が間違っている等による寸法の修正が特に難しいという問題も生じる。
【００１８】
本発明は、このような技術課題を解決するべくなされたものであり、本実施形態では錠剤寸法測定システム１００は、錠剤１０の寸法を測定するためのノギス２０と、ノギス２０によって測定された錠剤１０の寸法を表示する表示部２３と、表示部２３によって表示された寸法の数値と錠剤１０の測定位置とを含んだ画像を撮影するカメラ３０と、を有している。
かかる構成の錠剤寸法測定システム１００を用いて錠剤１０の寸法を測定する動作について、図５に示すようなフローチャートに従って説明を行う。
【００１９】
まず、作業者はカメラ３０を用いて図６に示すような錠剤１０の容器として機能する外箱１１の薬品情報を区別可能な薬品情報画像を撮影する。（ステップＳ１００）
ここでいう薬品情報は、撮影された画像から錠剤１０を同定できるものであれば良く、例えば外箱１１の外観であっても良いし、外箱１１に記載された薬品名１２や、バーコード１３等を含む。なお、本実施形態においては、図６に示すように薬品名１２とバーコード１３とが記載された外箱１１の画像を薬品情報画像Ｇ０の例として用いる。
次に、作業者が錠剤１０を、ノギス２０の端部２１ａと可動端部２２ａとの間に配置して、ノギス２０の可動部２２を動かして錠剤１０が端部２１ａと可動端部２２ａとの間で挟持されるように位置を確定させる（ステップＳ１０１）。
【００２０】
ステップＳ１０１において、ノギス２０の表示部２３には、端部２１ａと可動端部２２ａとの間の距離ｄ１が錠剤１０の寸法として表示される。
次に、カメラ３０が、表示部２３と錠剤１０とノギス２０の端部２１ａと可動端部２２ａと、を撮影エリア３１内に収めるように画像データを撮影する（ステップＳ１０２）。
ステップＳ１０２において撮影された画像は、表示部２３にはｄ１が表示され、例えば図７（ａ）に示すように、錠剤１０の測定位置と当該測定位置における測定された数値ｄ１とを含む寸法情報画像たる画像データとなっている。
【００２１】
端末４０は、ステップＳ１００〜Ｓ１０２に示したように、少なくとも１つの錠剤１０の寸法情報画像と、薬品情報画像Ｇ０と、を撮影すると、カメラ３０によって撮影されたこれらの画像データを、サーバー９０へと送信するかどうかを判定する（ステップＳ１０３）。
このとき端末４０は、図８に示すように、第１の画像データＧ１を表示しているときに、薬品情報画像Ｇ０と第２の画像データＧ２及び第３の画像データＧ３をサムネイル画像として画面端に並べて配置するとしても良い。
すなわち錠剤寸法測定システム１００は、カメラ３０によって撮影された画像のうち１つが表示されたときに、カメラ３０が撮影した他の画像を縮小化して当該画像に並べて表示する画像出力部としての端末４０を有する。
このようにサムネイル画像として表示することで、端末４０側のタップ操作によって第１〜第３の画像データの表示を容易に切り替えることができる。また同時に、錠剤１０の測定位置と、薬品情報の確認を容易に行うことができる。
【００２２】
ステップＳ１０３において、送信しないとした場合には、作業者は測定位置を例えば縦ｈ１から横ｈ２へと変更して、繰り返しステップＳ１０１〜Ｓ１０２の処理を行う。
このとき、ステップＳ１０２において撮影される画像は、表示部２３には数値ｄ１とは異なる横ｈ２に対応する数値ｄ２が表示され、例えば図７（ｂ）に示すように、錠剤１０の測定位置と当該測定位置における測定された数値ｄ２とを含む第２の画像データＧ２となる。
また、端末４０には、錠剤１０の寸法の測定データたる数値ｄ１、ｄ２とともに、測定データが得られたときの錠剤１０の測定位置ｈ１、ｈ２が寸法情報画像として記憶されることとなる。
【００２３】
ステップＳ１０１〜Ｓ１０２の処理を少なくとも３回繰り返すこととすれば、ステップＳ１００において撮影された薬品情報画像Ｇ０と、錠剤１０の縦ｈ１、横ｈ２、奥行きｈ３の少なくとも３つの測定位置に対応する寸法データとして数値ｄ１、ｄ２、ｄ３と、それぞれの数値に対応する第１〜第３の画像データＧ１〜Ｇ３が図８に示すように端末４０に記憶される。このとき第３の画像データＧ３は例えば図７（ｃ）に示すような画像となる。
【００２４】
なお、一般的な錠剤１０の形状からすれば、縦ｈ１、横ｈ２、奥行きｈ３の少なくとも３つの寸法データを測定することで、寸法と形状とが明確となるが、一般的ではない形状の錠剤１０の場合には、更に寸法データを複数取ることとしても構わない。
あるいは、かかる寸法情報画像は、錠剤１０が球形状や円板形状等、シンプルな形状で多数の寸法情報画像を必要としない場合には、縦ｈ１、横ｈ２、奥行きｈ３の何れか１つあるいは２つであっても良い。
【００２５】
また、端末４０がネットワーク９を介してサーバー９０への接続を行うときには、図１に示したようにサーバー９０に接続されるアカウントまたは端末４０に従って、薬品情報画像Ｇ０や第１〜第３の画像データＧ１〜Ｇ３の撮影された場所の情報や登録日時、ユーザー名等を含んでいても良い。
また、本実施形態では薬品情報画像Ｇ０は、寸法情報画像とは異なる画像であるとしたが、図９に示すように、寸法情報画像として第１の画像データＧ１を撮影する際に、外箱１１のバーコード１３や薬品名１２を同時に撮影することで、寸法情報画像と薬品情報画像とを１枚の画像データ内に収めても良い。
【００２６】
ステップＳ１０３において、撮影された画像データを送信するとした場合には、サーバー９０は、ステップＳ１００で撮影した薬品情報画像Ｇ０を薬品名１２が判別可能な状態で保存する（ステップＳ１０４）。また同時に、サーバー９０は、ステップＳ１０１、Ｓ１０２で撮影された単数あるいは複数の画像データを第１の画像データＧ１、第２の画像データＧ２、第３の画像データＧ３としてそれぞれ記憶するとともに、測定された数値ｄ１、ｄ２、ｄ３を第１の画像データＧ１、第２の画像データＧ２、第３の画像データＧ３、に対応する測定データとしてデータベースに保存する（ステップＳ１０４）。
ここで、数値ｄ１、ｄ２、ｄ３は、サーバー９０または端末４０が画像認識によって読み取るとしても良いし、手入力により表示部２３の表示を見ながら入力するとしても良い。
いずれにせよ数値ｄ１、ｄ２、ｄ３は、サーバー９０上に錠剤１０の寸法データとして記憶される。
【００２７】
ステップＳ１０４において、サーバー９０には、錠剤１０の寸法の測定データとともに、測定データが得られたときの錠剤１０の測定位置が寸法情報画像として記憶されることとなる。また同時に、錠剤１０の外箱１１を含んだ薬品情報画像Ｇ０もサーバー９０に記憶されることとなる。
すなわち携帯端末４２のアプリ４１は、サーバー９０から第１の画像データＧ１、第２の画像データＧ２、第３の画像データＧ３を読み出す（ステップＳ１０５）ことで、錠剤１０の測定位置ｈ１、ｈ２、ｈ３と、測定された寸法の数値ｄ１、ｄ２、ｄ３とを遠隔地間で共有することができる。
また、このときアプリ４１は、端末４０において撮影のために用いた撮影用アプリケーションプログラムとは異なる表示用のアプリケーションプログラムである。
【００２８】
アプリ４１は、例えば縦ｈ１、横ｈ２、奥行きｈ３と、それぞれに対応する第１〜第３の各画像データＧ１〜Ｇ３を、所定の順番に並び変えても良いし、寸法の数値ｄ１〜ｄ３の小さい順に並べ替えるとしても良い。
また、アプリ４１は、図８に示したように、第１の画像データＧ１を表示しているときに、第２の画像データＧ２及び第３の画像データＧ３をサムネイル画像として画面端に並べて配置するとしても良い。
すなわち錠剤寸法測定システム１００は、第１〜第３の画像データを縮小して並べて表示する。このとき、携帯端末４２が、カメラ３０によって撮影された画像のうち１つが表示されたときに、カメラ３０が撮影した他の画像を縮小化して当該画像に並べて表示する画像出力部として機能する。
このようにサムネイル画像として表示することで、携帯端末４２側のタップ操作によって第１〜第３の画像データの表示を容易に切り替えることができる。
また、特定の錠剤１０について、錠剤１０の測定位置が正しいかどうかをアプリ４１上で簡易に確認することができる。
【００２９】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【００３０】
例えば本実施形態では、錠剤寸法測定システム１００として、端末４０、携帯端末４２、サーバー９０がネットワーク９を介して接続されたシステムの実施形態について示したが、例えばかかる画像データと寸法データとを組み合わせて保存する方法は、ステップＳ１０１〜ステップＳ１０６に上述した各手段を実行するプログラムあるいは当該プログラムが記憶された各種記憶媒体によって実行されるとしても良い。
【００３１】
本発明の実施の形態に記載された効果は、本発明から生じる最も好適な効果を列挙したに過ぎず、本発明による効果は、本発明の実施の形態に記載されたものに限定されるものではない。
【符号の説明】
【００３２】
９…ネットワーク、１０…錠剤、１１…薬品情報（外箱）、１２…薬品情報（薬品名）、１３…薬品情報（バーコード）、２０…測定手段（ノギス）、２３…寸法表示手段（表示部）、３０…撮影手段（カメラ）、４０…端末（送信手段）、１００…錠剤寸法測定システム
９０…サーバー
Ｇ０…薬品情報画像、Ｇ１…第１の画像データ、Ｇ２…第２の画像データ、Ｇ３…第３の画像データ
ｈ１、ｈ２、ｈ３…測定位置
ｄ１、ｄ２、ｄ３…錠剤の寸法（数値）（寸法データ）
【図１】
2020198956.tif 000003
【図２】
2020198956.tif 000004
【図３】
2020198956.tif 000005
【図４】
2020198956.tif 000006
【図５】
2020198956.tif 000007
【図６】
2020198956.tif 000008
【図７】
2020198956.tif 000009
【図８】
2020198956.tif 000010
【図９】
2020198956.tif 000011